(57)【要約】【課題】配線板状部材が載置されるコネクタ装置についての低背化が図られたもとにおいても、コネクタ装置における係合部材による配線板状部材に装着された補強部材に対する係止及び係止解除を容易に行うことができる配線板状部材接続装置を提供する。【解決手段】  矩形板状部１２を有した絶縁ハウジング１１とＦＰＣ４５に装着された補強部材４６を係止する係合部材１８；１９を含んだコネクタ装置１０を備え、係合部材に、矩形板状部の面に沿う方向において相互対向する第１及び第２の係合係止部分を含んで補強部材の端部５４；５５を係止する係止部と、第１及び第２の係合係止部分における相互間距離を変化させて係止部による補強部材の端部に対する係止を解除すべく、矩形板状部の面に沿う方向に変位せしめられる操作部２３とが設けられる。【選択図】図１６
2015041478.tif 000002
【特許請求の範囲】
【請求項１】
矩形板状部を有した絶縁ハウジング，該絶縁ハウジングにおける上記矩形板状部に配列配置されて設けられ、各々が上記矩形板状部の一面から突出して該一面に対面配置される配線板状部材における複数の接触端子部のうちの対応するものに接触接続される接点部を有した複数の導電コンタクト、及び、上記矩形板状部における上記複数の導電コンタクトの配列方向の両端部の夫々に取り付けられた係合部材を有したコネクタ装置と、
上記配線板状部材に装着されて、該配線板状部材が上記コネクタ装置における上記絶縁ハウジングの一面に対面配置されたとき上記複数の導電コンタクトの配列方向に沿って伸びるものとされ、両端部の夫々が上記コネクタ装置における上記係合部材に係合して、上記複数の導電コンタクトの接点部が上記配線板状部材における複数の接触端子部に接触接続された状態を維持する補強部材と、
を備えて構成され、
上記係合部材が、上記矩形板状部の一面に沿う方向において相互対向するものとされて第１の相互間距離と該第１の相互間距離より大なる第２の相互間距離とを選択的にとる第１及び第２の係合係止部分を含んで成る係止部と、上記第１及び第２の係合係止部分を上記第１の相互間距離をとる状態から上記第２の相互間距離をとる状態へと移行させるべく上記矩形板状部の一面に沿う方向に変位せしめられる操作部とが設けられたものとされ、
上記補強部材における両端部の夫々が、上記コネクタ装置における上記係合部材に係合するとき、上記第１及び第２の係合係止部分が上記第１の相互間距離をとるものとされた上記係止部によって係止される係止状態と、上記第１及び第２の係合係止部分が上記第２の相互間距離をとるものとされた上記係止部により上記係止状態から解放される係止解除状態とをとるものとされる、
ことを特徴とする配線板状部材接続装置。
【請求項２】
上記係止部が、上記第１の係合係止部分が固定部分を形成し、上記第２の係合係止部分が上記第１の係合係止部分に対して上記矩形板状部の一面に沿う方向における離隔及び近接が可能な可動部分を形成するものとされることを特徴とする請求項１記載の配線板状部材接続装置。
【請求項３】
上記第２の係合係止部分が、上記操作部から上記矩形板状部の一面に沿う方向に伸びる腕状部を介して上記操作部に連結されており、該操作部の変位に伴って上記矩形板状部の一面に沿う方向に変位することを特徴とする請求項２記載の配線板状部材接続装置。
【請求項４】
上記係合部材が、上記係止部における上記第２の係合係止部分の上記操作部の変位に伴った変位を規制する変位規制部が設けられていることを特徴とする請求項３記載の配線板状部材接続装置。
【請求項５】
上記第１及び第２の係合係止部分が、各々の開口部分を上記矩形板状部の一面に沿う方向において相互対向させて配されて上記補強部材における端部に挟持係合する第１及び第２の切欠部が夫々形成されたものとされることを特徴とする請求項１記載の配線板状部材接続装置。
【請求項６】
上記補強部材における両端部の夫々が、上記係合部材に設けられた上記係止部における上記第１及び第２の係合係止部分に夫々形成された第１及び第２の切欠部により挟持される括れ部分が設けられたものとされることを特徴とする請求項５記載の配線板状部材接続装置。
【請求項７】
上記補強部材が、該補強部材の両端部の夫々に上記配線板状部材に設けられた透孔を貫通する状態をとらせて、上記配線板状部材に装着されることを特徴とする請求項１記載の配線板状部材接続装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等とされる配線板状部材を、主配線基板等とされる他の基板部材に電気的に接続するものとして、当該配線板状部材が装着されて使用される配線板状部材接続装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板との接続が、当該主配線基板に電気的接続がなされて固定されるコネクタ装置が用いられて行われることが多いものとされる。このような配線板状部材の主配線基板との接続にあたって用いられるコネクタ装置は、それに配線板状部材が装着されるにあたり、配線板状部材が、コネクタ装置が固定された主配線基板の面に沿う方向に移動せしめられて当該コネクタ装置に嵌合せしめられる第１の形式のものと、配線板状部材が、コネクタ装置が固定された主配線基板の面に向かう方向に移動せしめられてコネクタ装置に嵌合せしめられる第２の形式のものとがある。以下においては、第１の形式のコネクタ装置を、水平嵌合型コネクタ装置といい、第２の形式のコネクタ装置を、垂直嵌合型コネクタ装置という。
【０００３】
水平嵌合型コネクタ装置を用いて配線板状部材の主配線基板との接続を行う場合には、水平嵌合型コネクタ装置に対する配線板状部材の嵌合あるいは離脱を行うに際して、水平嵌合型コネクタ装置の周囲においてその水平嵌合型コネクタ装置が固定された主配線基板の面に沿う方向における作業スペースが必要とされ、スペース利用効率の低下をきたすことになる。一方、垂直嵌合型コネクタ装置を用いて配線板状部材の主配線基板との接続を行う場合には、スペース利用効率の低下を回避することはできるが、別の問題がもたらされることになる。
【０００４】
従来提案されている垂直嵌合型コネクタ装置は、主配線基板等の基板部材上に配される絶縁ハウジングを備え、その絶縁ハウジングに基板部材の上方に向かって開口する配線板状部材装着部が形成されるとともに、配線板状部材装着部に各々が配線板状部材における接触端子部に接触接続される複数の導電コンタクトが配列配置されたものとされている。そして、斯かる垂直嵌合型コネクタ装置を用いて配線板状部材を基板部材に接続するにあたっては、配線板状部材における複数の接触端子部が設けられた部分を、垂直嵌合型コネクタ装置の絶縁ハウジングに形成された配線板状部材装着部にその開口を通じて嵌合させ、それにより、配線板状部材装着部に配列配置された複数の導電コンタクトが配線板状部材における複数の接触端子部に夫々接触接続される状態となす。斯かるもとで、垂直嵌合型コネクタ装置における複数の導電コンタクトは、絶縁ハウジングが配された基板部材における配線端子部に電気的に連結されており、その結果、配線板状部材が、複数の導電コンタクトを通じて、基板部材に電気的に接続されることになる（例えば、特許文献１参照。）。
【０００５】
特許文献１に示される垂直嵌合型コネクタ装置（ＦＰＣケーブル接続用コネクタ）にあっては、それが搭載される基板部材（プリント基板）上に配される絶縁ハウジング（インシュレータ(1))が備えられており、絶縁ハウジング(1) は、基板部材の上方に向って開口する配線板状部材装着部（開口部）を有している。配線板状部材装着部には、複数の導電コンタクト（コンタクト(3))が配列配置されている。また、配線板状部材装着部における複数の導電コンタクト(3) の配列方向の両端部には、一対の配線板状部材係止部（係止用フック(4))が、配線板状部材装着部に配列配置された複数の導電コンタクト(3) を挟んで夫々立設されており、一対の配線板状部材係止部(4) の各々には、係合部(4a)が形成されている。
【０００６】
垂直嵌合型コネクタ装置の絶縁ハウジング(1) が有する配線板状部材装着部に装着される配線板状部材（ＦＰＣケーブル(9))における複数の接触端子部が設けられた部分には、補強板(8) が取り付けられている。それにより、配線板状部材(9) における複数の接触端子部が設けられた部分は、それに取り付けられた補強板(8) と共に、垂直嵌合型コネクタ装置における配線板状部材装着部に装着されることになる。
【０００７】
補強板(8) は、垂直嵌合型コネクタ装置における配線板状部材装着部に装着されたとき複数の導電コンタクト(3) の配列方向に沿うことになる方向の両端部に、一対の突出部(8c)が夫々形成されたものとされている。これら一対の突出部(8c)の夫々は、 補強板(8) が配線板状部材装着部に装着されたとき、配線板状部材装着部の端部に立設された配線板状部材係止部(4) に形成された係合部(4a)に係合する状態をとる。
【０００８】
斯かるもとで、配線板状部材(9) における複数の接触端子部が設けられた部分が、それに取り付けられた補強板(8) と共に、垂直嵌合型コネクタ装置における配線板状部材装着部に、その配線板状部材装着部を有する絶縁ハウジング(1) が配された基板部材の面に向かう方向に移動せしめられて装着されたときには、配線板状部材装着部に配列配置された複数の導電コンタクト(3) が、配線板状部材(9) における複数の接触端子部に夫々接触接続される。また、それとともに、配線板状部材(9) における複数の接触端子部が設けられた部分に取り付けられた補強板(8) の両端部に形成された一対の突出部(8c)が、配線板状部材装着部の両端部に立設された一対の配線板状部材係止部(4) の各々に形成された係合部(4a)に夫々係合し、それにより、補強板(8) が一対の配線板状部材係止部(4) によって係止された係止状態におかれる。
【０００９】
このようにして、配線板状部材(9) における複数の接触端子部が設けられた部分に取り付けられた補強板(8) が、それが装着された配線板状部材装着部の両端部に立設された一対の配線板状部材係止部(4) によって係止された係止状態におかれることにより、配線板状部材装着部に配列配置された複数の導電コンタクト(3) が配線板状部材(9) における複数の接触端子部に夫々接触接続された状態が、安定に維持されることになる。
【先行技術文献】
【特許文献】
【００１０】
【特許文献１】実開平６−８８０８３号公報（頁６〜８，図１〜３）
【発明の概要】
【発明が解決しようとする課題】
【００１１】
上述のような、絶縁ハウジングが有する配線板状部材装着部に、それに装着された配線板状部材における複数の接触端子部が設けられた部分に取り付けられた補強板を係止する配線板状部材係止部が立設されたものとされる、従来提案されている垂直嵌合型コネクタ装置にあっては、配線板状部材係止部によって、配線板状部材装着部に配列配置された複数の導電コンタクトが配線板状部材における複数の接触端子部に夫々接触接続された状態が安定に維持されることになる。しかしながら、配線板状部材装着部に装着された配線板状部材における複数の接触端子部が設けられた部分を、それに取り付けられた補強板と共に、配線板状部材装着部から離脱させるべく、配線板状部材係止部に補強板に対する係止を解除する係止解除状態をとらせるにあたって不都合が生じる。
【００１２】
即ち、垂直嵌合型コネクタ装置にあっても、その絶縁ハウジングが配される基板部材の面からの突出長をできるだけ小とすべくその厚みを比較的小なるものとする低背化が図られることが望まれる。そして、斯かる低背化が図られるときには、絶縁ハウジングが有する配線板状部材装着部に立設される配線板状部材係止部の高さも比較的小なるものに抑えられることになり、このことが、下記のように、配線板状部材係止部に補強板に対する係止を解除する係止解除状態をとらせることを困難にするのである。
【００１３】
配線板状部材係止部に補強板に対する係止を解除する係止解除状態をとらせるには、補強板の端部に形成された突出部が係合した係合部を有した配線板状部材係止部を、その弾力性を利用して配線板状部材装着部における複数の導電コンタクトの配列方向に沿って変位させ、それに形成された係合部を補強板の端部に形成された突出部から外すことが必要とされる。然るに、配線板状部材装着部に立設されてその高さが比較的小なるものに抑えられた配線板状部材係止部は、比較的大なる剛性を有することになって、その弾力性を利用した複数の導電コンタクトの配列方向に沿う方向の変位を行わせ難いものとなってしまう。その結果、配線板状部材係止部に補強板に対する係止を解除する係止解除状態をとらせることが困難となってしまうという不都合がもたらされる。
【００１４】
斯かる点に鑑み、本願の特許請求の範囲に記載された発明は、複数の導電コンタクトが配列配置された絶縁ハウジングと、複数の接触端子部が設けられてそれらに複数の導電コンタクトを接触接続させるべく絶縁ハウジングに配置される配線板状部材に装着された補強部材に対する係止及び係止解除を行う係合部材と、を備えた垂直嵌合型コネクタ装置とされるコネクタ装置を含んだ配線板状部材接続装置であって、コネクタ装置についての低背化が図られたもとにおいても、コネクタ装置における係合部材による配線板状部材に装着された補強部材に対する係止及び係止解除を容易に行うことができるものを提供する。
【課題を解決するための手段】
【００１５】
本願の特許請求の範囲における請求項１から請求項７までのいずれかに記載された発明（以下、本発明という。）に係る配線板状部材接続装置は、矩形板状部を有した絶縁ハウジング，絶縁ハウジングの矩形板状部に配列配置されて設けられ、各々が絶縁ハウジングの矩形板状部の一面から突出してその一面に対面配置される配線板状部材における複数の接触端子部のうちの対応するものに接触接続される接点部を有した複数の導電コンタクト、及び、絶縁ハウジングの矩形板状部における複数の導電コンタクトの配列方向の両端部の夫々に取り付けられた係合部材を有したコネクタ装置と、配線板状部材に装着されて、配線板状部材がコネクタ装置における絶縁ハウジングの矩形板状部の一面に対面配置されたとき複数の導電コンタクトの配列方向に沿って伸びるものとされ、両端部の夫々がコネクタ装置における係合部材に係合して、複数の導電コンタクトの接点部が配線板状部材における複数の接触端子部に接触接続された状態を維持する補強部材と、を備えて構成される。そして、係合部材が、絶縁ハウジングの矩形板状部の一面に沿う方向において相互対向するものとされて第１の相互間距離と第１の相互間距離より大なる第２の相互間距離とを選択的にとる第１及び第２の係合係止部分を含んで成る係止部と、第１及び第２の係合係止部分を第１の相互間距離をとる状態から第２の相互間距離をとる状態へと移行させるべく絶縁ハウジングの矩形板状部の一面に沿う方向に変位せしめられる操作部とが設けられたものとされ、補強部材における両端部の夫々が、コネクタ装置における係合部材に係合するとき、第１及び第２の係合係止部分が第１の相互間距離をとるものとされた係止部によって係止される係止状態と、第１及び第２の係合係止部分が第２の相互間距離をとるものとされた係止部により係止状態から解放される係止解除状態とをとるものとされる。
【００１６】
特に、本願の特許請求の範囲における請求項２に記載された本発明に係る配線板状部材接続装置にあっては、係止部が、第１の係合係止部分が固定部分を形成し、第２の係合係止部分が第１の係合係止部分に対して絶縁ハウジングの矩形板状部の一面に沿う方向における離隔及び近接が可能な可動部分を形成するものとされる。
【００１７】
さらに、本願の特許請求の範囲における請求項３に記載された本発明に係る配線板状部材接続装置にあっては、係止部が、第１の係合係止部分が固定部分を形成し、第２の係合係止部分が第１の係合係止部分に対して絶縁ハウジングの矩形板状部の一面に沿う方向における離隔及び近接が可能な可動部分を形成するものとされるもとで、第２の係合係止部分が、操作部から絶縁ハウジングの矩形板状部の一面に沿う方向に伸びる腕状部を介して操作部に連結されており、操作部の変位に伴って絶縁ハウジングの矩形板状部の一面に沿う方向に変位する。
【００１８】
上述のような本発明に係る配線板状部材接続装置にあっては、配線板状部材がそれに装着された補強部材を伴ってコネクタ装置の絶縁ハウジングの矩形板状部における複数の導電コンタクトの接点部が突出する所定の面に対面配置されるとき、絶縁ハウジングの矩形板状部に配列配置された複数の導電コンタクトの夫々の接点部が、配線板状部材における複数の接触端子部のうちの対応するものに接触接続されるとともに、配線板状部材に装着された補強部材における両端部の夫々がコネクタ装置が有する係合部材に係合する。斯かる際における補強部材における両端部の夫々の係合部材との係合は、係合部材における係止部を構成する第１及び第２の係合係止部分が絶縁ハウジングの矩形板状部における上述の所定の面に沿う方向において第１の相互間距離をとるものとされたもとで、補強部材における両端部の夫々が第１及び第２の係合係止部分を含んで成る係止部によって係止されることにより行われる。それによって、係合部材における係止部による補強部材に対しての係止状態がとられることになり、係止部による係止状態のもとにおかれた補強部材は、絶縁ハウジングに配列配置された複数の導電コンタクトの接点部が配線板状部材における複数の接触端子部に接触接続された状態を維持する役割を果たす。
【００１９】
補強部材が係合部材における係止部によって係止されたもとで、係合部材における操作部に、それを絶縁ハウジングの矩形板状部における上述の所定の面に沿う方向に変位させる操作が加えられると、係合部材における係止部を構成する第１及び第２の係合係止部分が、上述の第１の相互間距離をとる状態から絶縁ハウジングの矩形板状部における上述の所定の面に沿う方向において第１の相互間距離より大なる第２の相互間距離をとる状態に移行せしめられる。それにより、補強部材における両端部の夫々が第１及び第２の係合係止部分を含んで成る係止部によって係止された状態から解放される。その結果、係合部材における係止部による補強部材に対しての係止状態が解除される係止解除状態がとられることになり、係止解除状態のもとにおかれた補強部材は、絶縁ハウジングの矩形板状部に配列配置された複数の導電コンタクトの接点部が複数の接触端子部に接触接続された状態におかれた配線板状部材に絶縁ハウジングから離脱させ得る状態をとらせる。
【００２０】
係合部材における係止部は、例えば、本願の特許請求の範囲における請求項２に記載された本発明に係る配線板状部材接続装置の場合のように、第１の係合係止部分が固定部分を形成し、第２の係合係止部分が第１の係合係止部分に対して絶縁ハウジングの矩形板状部における上述の所定の面に沿う方向における離隔及び近接が可能な可動部分を形成するものとされて構成される。
【００２１】
また、係合部材における係止部は、例えば、本願の特許請求の範囲における請求項３に記載された本発明に係る配線板状部材接続装置の場合のように、第１の係合係止部分が固定部分を形成し、第２の係合係止部分が第１の係合係止部分に対して絶縁ハウジングの矩形板状部における上述の所定の面に沿う方向における離隔及び近接が可能な可動部分を形成するものとされるもとで、第２の係合係止部分が、操作部から絶縁ハウジングの矩形板状部における上述の所定の面に沿う方向に伸びる腕状部を介して操作部に連結されて、操作部の変位に伴って絶縁ハウジングの矩形板状部における上述の所定の面に沿う方向に変位するものとされる。
【発明の効果】
【００２２】
本発明に係る配線板状部材接続装置においては、コネクタ装置の絶縁ハウジングの矩形板状部における複数の導電コンタクトの接点部が突出する所定の面に対面配置される配線板状部材に補強部材が装着されたもとで、その補強部材における両端部の夫々を係止する状態及び係止から解放する状態を選択的にとる係合部材における係止部が、絶縁ハウジングの矩形板状部における上述の所定の面に沿う方向において相互対向するものとされて第１の相互間距離と第１の相互間距離より大なる第２の相互間距離とを選択的にとる第１及び第２の係合係止部分を含んで構成され、さらに、係止部を構成する第１及び第２の係合係止部分を第１の相互間距離をとる状態から第２の相互間距離をとる状態へと移行させるべく操作が加えられる係合部材における操作部が、絶縁ハウジングの矩形板状部における上述の所定の面に沿う方向に変位せしめられるものとされる。それゆえ、コネクタ装置において、その絶縁ハウジングの矩形板状部における複数の導電コンタクトの配列方向の両端部の夫々に取り付けられた係合部材が、絶縁ハウジングにおける上述の所定の面に直交する方向の寸法を増大させず、従って、コネクタ装置についての低背化を妨げることなく、絶縁ハウジングにおける上述の所定の面に対面配置された配線板状部材に装着された補強部材に、係止部によって係止される係止状態と係止部による係止状態から解放される係止解除状態とを選択的にかつ容易にとらせることができる。
【００２３】
その結果、本発明に係る配線板状部材接続装置は、その矩形板状部に複数の導電コンタクトが配列配置された絶縁ハウジングと、複数の接触端子部が設けられてそれらに複数の導電コンタクトを接触接続させるべく絶縁ハウジングの矩形板状部に配置される配線板状部材に装着された補強部材に対する係止及び係止解除を行う係合部材と、を備えた垂直嵌合型コネクタ装置とされるコネクタ装置を含んで構成されるものであって、コネクタ装置についての低背化が図られたもとにおいても、コネクタ装置における係合部材による配線板状部材に装着された補強部材に対する係止及び係止解除を容易に行うことができることになる。
【００２４】
取り分け、本願の特許請求の範囲における請求項２に記載された本発明に係る配線板状部材接続装置にあっては、コネクタ装置が有する係合部材における係止部が、第１の係合係止部分が固定部分を形成し、第２の係合係止部分が第１の係合係止部分に対して絶縁ハウジングの矩形板状部における上述の所定の面に沿う方向における離隔及び近接が可能な可動部分を形成するものとされるので、配線板状部材に装着された補強部材に対する係止部による係止及び係止解除を、比較的簡単な構成をもって確実に行うことができる。
【００２５】
また、本願の特許請求の範囲における請求項３に記載された本発明に係る配線板状部材接続装置にあっては、コネクタ装置が有する係合部材における係止部が、第１の係合係止部分が固定部分を形成し、第２の係合係止部分が第１の係合係止部分に対して絶縁ハウジングの矩形板状部における上述の所定の面に沿う方向における離隔及び近接が可能な可動部分を形成するものとされるもとで、第２の係合係止部分が、コネクタ装置が有する係合部材における操作部から絶縁ハウジングの矩形板状部における上述の所定の面に沿う方向に伸びる腕状部を介して操作部に連結されて、操作部の変位に伴って絶縁ハウジングの矩形板状部における上述の所定の面に沿う方向に変位するものとされるので、操作部を充分な弾力性を備えた変位ストロークを比較的大とするものとすることができ、それにより、配線板状部材に装着された補強部材に対する係止部による係止の解除を極めて容易に行うことができる。
【図面の簡単な説明】
【００２６】
【図１】本発明に係る配線板状部材接続装置の一例を構成するコネクタ装置を示す上面側から見た斜視図である。
【図２】本発明に係る配線板状部材接続装置の一例を構成するコネクタ装置を示す底面側から見た斜視図である。
【図３】本発明に係る配線板状部材接続装置の一例を構成するコネクタ装置を示す平面図である。
【図４】本発明に係る配線板状部材接続装置の一例を構成するコネクタ装置を示す底面図である。
【図５】図３における V−V 線断面を示す断面図である。
【図６】本発明に係る配線板状部材接続装置の一例を構成するコネクタ装置が有する一対の係合部材のうちの一方を示す上面側から見た斜視図である。
【図７】本発明に係る配線板状部材接続装置の一例を構成するコネクタ装置が有する一対の係合部材のうちの一方を示す底面側から見た斜視図である。
【図８】本発明に係る配線板状部材接続装置の一例を構成するコネクタ装置が有する一対の係合部材のうちの一方を示す平面図である。
【図９】本発明に係る配線板状部材接続装置の一例を構成するコネクタ装置が有する一対の係合部材のうちの他方を示す上面側から見た斜視図である。
【図１０】本発明に係る配線板状部材接続装置の一例を構成するコネクタ装置が有する一対の係合部材のうちの他方を示す底面側から見た斜視図である。
【図１１】本発明に係る配線板状部材接続装置の一例を構成するコネクタ装置が有する一対の係合部材のうちの他方を示す平面図である。
【図１２】本発明に係る配線板状部材接続装置の一例を構成するコネクタ装置が有する絶縁ハウジングと係合部材とを、絶縁ハウジングに対する係合部材の取付け前の状態をもって示す斜視図である。
【図１３】本発明に係る配線板状部材接続装置の一例を構成するコネクタ装置が有する絶縁ハウジングと係合部材とを、絶縁ハウジングに対する係合部材の取付け前の状態をもって示す平面図である。
【図１４】本発明に係る配線板状部材接続装置の一例を構成する、配線板状部材に装着された補強部材を配線板状部材と共に示す上面側から見た斜視図である。
【図１５】本発明に係る配線板状部材接続装置の一例を構成する、配線板状部材に装着された補強部材を配線板状部材と共に示す底面側から見た斜視図である。
【図１６】本発明に係る配線板状部材接続装置の一例を構成するコネクタ装置と配線板状部材に装着された補強部材とを、コネクタ装置に対する配線板状部材の載置前の状態をもって示す斜視図である。
【図１７】本発明に係る配線板状部材接続装置の一例を構成するコネクタ装置と配線板状部材に装着された補強部材とを、コネクタ装置に対する配線板状部材の載置前の状態をもって示す側面図である。
【図１８】本発明に係る配線板状部材接続装置の一例を構成するコネクタ装置が有する係合部材に設けられた係止部と操作部とについての説明に供される平面図である。
【図１９】本発明に係る配線板状部材接続装置の一例を構成するコネクタ装置と配線板状部材に装着された補強部材とを、コネクタ装置に配線板状部材が載置された状態をもって示す斜視図である。
【図２０】本発明に係る配線板状部材接続装置の一例を構成するコネクタ装置と配線板状部材に装着された補強部材とを、コネクタ装置に配線板状部材が載置された状態をもって示す側面図である。
【図２１】本発明に係る配線板状部材接続装置の一例を構成するコネクタ装置が有する係合部材に設けられた係止部と操作部とについての説明に供される平面図である。
【発明を実施するための形態】
【００２７】
本発明を実施するための形態は、以下に述べられる本発明についての実施例をもって説明される。
【実施例】
【００２８】
図１（斜視図），図２（斜視図），図３（平面図）及び図４（底面図）は、本発明に係る配線板状部材接続装置の一例を構成するコネクタ装置を示す。
【００２９】
図１〜図４において、本発明に係る配線板状部材接続装置の一例を構成するコネクタ装置であるコネクタ装置１０は、垂直嵌合型コネクタ装置を成すものとされており、合成樹脂等の絶縁材料によって形成された絶縁ハウジング１１を備えている。絶縁ハウジング１１は、例えば、主配線基板とされる基板部材（図示が省略されている。）上に配されたものとされる。
【００３０】
そして、絶縁ハウジング１１は、矩形板状部１２を有しており、矩形板状部１２には、複数の導電コンタクト１３が配列配置されている。複数の導電コンタクト１３の夫々は、例えば、弾性金属材料によって形成されていて、図３における V−V 線断面を示す図５にも示されるように、その一端が、絶縁ハウジング１１が配された基板部材における回路端子に接続される接続端子部１４を成すものとされており、また、絶縁ハウジング１１の矩形板状部１２の面１２ａからその外部へ突出する接点部１５を有している。
【００３１】
さらに、絶縁ハウジング１１の矩形板状部１２における複数の導電コンタクト１３の配列方向の両端部には、一対の透孔１６及び１７が夫々設けられているとともに、一対の係合部材１８及び１９が夫々取り付けられている。これらの一対の係合部材１８及び１９は、配列配置された複数の導電コンタクト１３を挟んで相互対向するものとされている。
【００３２】
係合部材１８は、例えば、弾性金属材料によって形成されていて、図６（斜視図），図７（斜視図）及び図８（平面図）に示されるように、係合部材１８には、絶縁ハウジング１１に圧入される圧入部２０を有して絶縁ハウジング１１の矩形板状部１２の端部に固定される固定部２１と、固定部２１から伸びて絶縁ハウジング１１が配された基板部材に接続される基板接続部２２と、固定部２１から伸びて弾性変位可能とされた操作部２３とが設けられている。そして、固定部２１には、切欠部２４が形成された第１の係合係止部分２５が設けられている。また、操作部２３から腕状部２６が伸びており、さらに、腕状部２６から切欠部２７が形成された第２の係合係止部分２８が伸びている。従って、第２の係合係止部分２８は、操作部２３から伸びる腕状部２６を介して操作部２３に連結されていることになり、操作部２３の変位に伴って変位せしめられるものとされている。
【００３３】
操作部２３は、係合部材１８が絶縁ハウジング１１の矩形板状部１２の端部に取り付けられたもとで矩形板状部１２の面１２ａに沿うことになる方向（以下、単に面１２ａに沿う方向という。）において、弾性変位し得るものとされている。また、腕状部２６は、操作部２３から面１２ａに沿う方向に伸びている。それにより、腕状部２６を介して操作部２３に連結された第２の係合係止部分２８は、操作部２３の変位に伴って、面１２ａに沿う方向において変位せしめられる。
【００３４】
第１の係合係止部分２５と第２の係合係止部分２８とは、面１２ａに沿う方向において相互対向するものとして配されており、両者によって係合部材１８における係止部２９を構成している。斯かる係止部２９においては、第１の係合係止部分２５に形成された切欠部２４と第２の係合係止部分２８に形成された切欠部２７とが、各々の開口部分を面１２ａに沿う方向において相互対向させている。また、第１の係合係止部分２５が、固定部分を形成しており、第２の係合係止部分２８が、操作部２３の変位に伴って変位せしめられることにより、第１の係合係止部分２５に対して面１２ａに沿うことになる方向における離隔及び近接が可能とされる可動部分を形成している。そして、第１の係合係止部分２５と第２の係合係止部分２８とは、操作部２３の変位に伴う第２の係合係止部分２８の変位に伴って相互間距離を変化させる状態におかれており、図８に示される相互間距離とされる第１の相互間距離とそれより大なる第２の相互間距離とを選択的にとる。
【００３５】
さらに、係合部材１８には、固定部２１から伸びて、係止部２９における第２の係合係止部分２８の操作部２３の変位に伴った変位を規制する変位規制部３０が設けられている。第２の係合係止部分２８は、操作部２３の変位に伴って面１２ａに沿う方向に変位せしめられるとき、変位規制部３０に当接して変位規制部３０による変位規制を受ける。
【００３６】
また、係合部材１９も、例えば、弾性金属材料によって形成されていて、図９（斜視図），図１０（斜視図）及び図１１（平面図）に示されるように、係合部材１９には、絶縁ハウジング１１に圧入される圧入部３１を有して絶縁ハウジング１１の矩形板状部１２の端部に固定される固定部３２と、固定部３２から伸びて絶縁ハウジング１１が配された基板部材に接続される基板接続部３３と、固定部３２から伸びて弾性変位可能とされた操作部３４とが設けられている。そして、固定部３２には、切欠部３５が形成された第１の係合係止部分３６が設けられている。また、操作部３４から腕状部３７が伸びており、さらに、腕状部３７から切欠部３８が形成された第２の係合係止部分３９が伸びている。従って、第２の係合係止部分３９は、操作部３４から伸びる腕状部３７を介して操作部３４に連結されていることになり、操作部３４の変位に伴って変位せしめられるものとされている。
【００３７】
操作部３４は、係合部材１９が絶縁ハウジング１１の矩形板状部１２の端部に取り付けられたもとで面１２ａに沿う方向において、弾性変位するものとされている。また、腕状部３７は、操作部３４から面１２ａに沿う方向に伸びている。それにより、腕状部３７を介して操作部３４に連結された第２の係合係止部分３９は、操作部３４の変位に伴って、面１２ａに沿う方向において変位せしめられる。
【００３８】
第１の係合係止部分３６と第２の係合係止部分３９とは、面１２ａに沿う方向において相互対向するものとして配されており、両者によって係合部材１９における係止部４０を構成している。斯かる係止部４０においては、第１の係合係止部分３６に形成された切欠部３５と第２の係合係止部分３９に形成された切欠部３８とが、各々の開口部分を面１２ａに沿う方向において相互対向させている。また、第１の係合係止部分３６が、固定部分を形成しており、第２の係合係止部分３９が、操作部３４の変位に伴って変位せしめられることにより、第１の係合係止部分３６に対して面１２ａに沿うことになる方向における離隔及び近接が可能とされる可動部分を形成している。そして、第１の係合係止部分３６と第２の係合係止部分３９とは、操作部３４の変位に伴う第２の係合係止部分３９の変位に伴って相互間距離を変化させる状態におかれており、図１１に示される相互間距離とされる第１の相互間距離とそれより大なる第２の相互間距離とを選択的にとる。
【００３９】
さらに、係合部材１９にも、固定部３２から伸びて、係止部４０における第２の係合係止部分３９の操作部３４の変位に伴った変位を規制する変位規制部４１が設けられている。第２の係合係止部分３９は、操作部３４の変位に伴って面１２ａに沿う方向に変位せしめられるとき、変位規制部４１に当接して変位規制部４１による変位規制を受ける。
【００４０】
係合部材１８は、絶縁ハウジング１１の矩形板状部１２の一端部に取り付けられるにあたっては、図１２及び図１３に示されるように、絶縁ハウジング１１の矩形板状部１２における透孔１６が設けられた端部の外側に、圧入部２０及びそれを有した固定部２１を矩形板状部１２における透孔１６が設けられた端部に対向させて配置される。そして、その後、係合部材１８の全体が絶縁ハウジング１１に向けて移動せしめられて絶縁ハウジング１１に係合するものとされ、それにより、係合部材１８が、圧入部２０が絶縁ハウジング１１に圧入されて固定部２１が絶縁ハウジング１１の矩形板状部１２における透孔１６が設けられた一端部に固定される状態をもって当該端部に取り付けられる。このようにして絶縁ハウジング１１の矩形板状部１２の端部に取り付けられた係合部材１８にあっては、係止部２９を構成する第１の係合係止部分２５と第２の係合係止部分２８とが、面１２ａに沿う方向において相互対向するものとして配されていて、第１の係合係止部分２５に形成された切欠部２４と第２の係合係止部分２８に形成された切欠部２７とが、各々の開口部分を面１２ａに沿う方向において相互対向させており、また、操作部２３が、面１２ａに沿う方向において弾性変位し得るものとされていて、腕状部２６が、操作部２３から面１２ａに沿う方向に伸びている。
【００４１】
係合部材１９も、絶縁ハウジング１１の矩形板状部１２の他端部に取り付けられるにあたっては、図示が省略されているが、係合部材１８の場合と同様に、絶縁ハウジング１１の矩形板状部１２における透孔１７が設けられた端部の外側に、圧入部３１及びそれを有した固定部３２を矩形板状部１２における透孔１７が設けられた端部に対向させて配置される。そして、その後、係合部材１９の全体が絶縁ハウジング１１に向けて移動せしめられて絶縁ハウジング１１に係合するものとされ、それにより、係合部材１９が、圧入部３１が絶縁ハウジング１１に圧入されて固定部３２が絶縁ハウジング１１の矩形板状部１２における透孔１７が設けられた他端部に固定される状態をもって当該端部に取り付けられる。このようにして絶縁ハウジング１１の矩形板状部１２の端部に取り付けられた係合部材１９にあっては、係止部４０を構成する第１の係合係止部分３６と第２の係合係止部分３９とが、面１２ａに沿う方向において相互対向するものとして配されていて、第１の係合係止部分３６に形成された切欠部３５と第２の係合係止部分３９に形成された切欠部３８とが、各々の開口部分を面１２ａに沿う方向において相互対向させており、また、操作部３４が、面１２ａに沿う方向において弾性変位し得るものとされていて、腕状部３７が、操作部３４から面１２ａに沿う方向に伸びている。
【００４２】
図１４（斜視図）及び図１５（斜視図）は、本発明に係る配線板状部材接続装置の一例をコネクタ装置１０と共に構成する、配線板状部材に装着された補強部材を示す。
【００４３】
図１４及び図１５においては、コネクタ装置１０に載置されるものとされる配線板状部材を成すフレキシブル印刷配線基板４５（以下、ＦＰＣ４５という。）に、本発明に係る配線板状部材接続装置の一例を構成する補強部材４６が装着されている。ＦＰＣ４５には、図１５に示されるように、複数の接触端子部４７が二列を成すものとして配列配置されて設けられている。そして、ＦＰＣ４５における複数の接触端子部４７が設けられた部分４８には、それにおける複数の接触端子部４７の配列方向の両端部に、一対の透孔４９及び５０が形成されている。また、補強部材４６は、例えば、金属薄板材によって形成されており、ＦＰＣ４５の部分４８における複数の接触端子部４７が設けられた面５１に対向する面５２上に、複数の接触端子部４７の配列方向に沿って伸びるものとして配された本体部５３とそれから屈曲して伸びる一対の端部５４及び５５とを有している。そして、一対の端部５４及び５５は、各々がＦＰＣ４５の部分４８における面５２側から面５１側へと屈曲せしめられていて、ＦＰＣ４５の部分４８に形成された透孔４９及び５０を夫々貫通するものとされている。
【００４４】
そして、補強部材４６の端部５４には、コネクタ装置１０が有する係合部材１８における係止部２９を構成する第１の係合係止部分２５及び第２の係合係止部分２８に夫々形成された切欠部２４及び２７により挟持される括れ部５６が設けられている。また、補強部材４６の端部５５にも、コネクタ装置１０が有する係合部材１９における係止部４０を構成する第１の係合係止部分３６及び第２の係合係止部分３９に夫々形成された切欠部３５及び３８により挟持される括れ部５７が設けられている。
【００４５】
上述のような補強部材４６が装着されたＦＰＣ４５がコネクタ装置１０に載置される際には、図１６（斜視図）及び図１７（側面図）に示されるように、補強部材４６が装着されたＦＰＣ４５が、それにおける複数の接触端子部４７が設けられた部分４８の面５１をコネクタ装置１０の絶縁ハウジング１１における矩形板状部１２の面１２ａに対面させる状態をもって、コネクタ装置１０の絶縁ハウジング１１の上方に配置される。その際、ＦＰＣ４５の部分４８の面５１に設けられた複数の接触端子部４７が、コネクタ装置１０の絶縁ハウジング１１における矩形板状部１２の面１２ａからその外部へ突出する複数の導電コンタクト１３の接点部１５に対応する位置をとるものとされ、また、補強部材４６の一対の端部５４及び５５が、コネクタ装置１０の絶縁ハウジング１１の矩形板状部１２における両端部に設けられた一対の透孔１６及び１７に夫々対応する位置をとるものとされる。
【００４６】
さらに、このとき、絶縁ハウジング１１の矩形板状部１２における一端部に取り付けられた係合部材１８においては、それに設けられた係止部２９を構成する第１の係合係止部分２５及び第２の係合係止部分２８が第１の相互間距離をとり、第１の係合係止部分２５及び第２の係合係止部分２８に夫々設けられた切欠部２４及び切欠部２７の間隔が、図１８において間隔ａとして示されるような、比較的小なるものとされる状態におかれる。同様に、絶縁ハウジング１１の矩形板状部１２における他端部に取り付けられた係合部材１９においても、それに設けられた係止部４０を構成する第１の係合係止部分３６及び第２の係合係止部分３９が第１の相互間距離をとり、第１の係合係止部分３６及び第２の係合係止部分３９に夫々設けられた切欠部３５及び切欠部３８の間隔が、比較的小なる間隔ａとされる状態におかれる。
【００４７】
続いて、補強部材４６が装着されたＦＰＣ４５が、コネクタ装置１０の絶縁ハウジング１１における矩形板状部１２に向けて移動せしめられ、図１９（斜視図）及び図２０（側面図）に示されるように、補強部材４６における一対の両端部５４及び５５が絶縁ハウジング１１の矩形板状部１２における両端部に設けられた一対の透孔１６及び１７を夫々貫通するものとされる状態をもって、ＦＰＣ４５の部分４８が、その面５１を絶縁ハウジング１１における矩形板状部１２の面１２ａに対面させて、絶縁ハウジング１１における矩形板状部１２上に配される。それにより、ＦＰＣ４５が、コネクタ装置１０の絶縁ハウジング１１における矩形板状部１２の面１２ａに対面配置された状態が得られる。
【００４８】
このようにして、ＦＰＣ４５の部分４８が、その面５１を絶縁ハウジング１１における矩形板状部１２の面１２ａに対面させて、絶縁ハウジング１１における矩形板状部１２上に配されたもとにあっては、コネクタ装置１０の絶縁ハウジング１１における矩形板状部１２の面１２ａからその外部へ突出する複数の導電コンタクト１３の接点部１５が、ＦＰＣ４５の部分４８の面５１に設けられた複数の接触端子部４７に夫々当接して、当該複数の接触端子部４７に夫々接触接続される。それにより、ＦＰＣ４５における複数の接触端子部４７がコネクタ装置１０が有する複数の導電コンタクト１３に電気的に接続され、ＦＰＣ４５が、コネクタ装置１０を介して、コネクタ装置１０の絶縁ハウジング１１が配された基板部材に電気的に接続される。
【００４９】
また、それとともに、絶縁ハウジング１１の矩形板状部１２における一端部に設けられた透孔１６を貫通した補強部材４６の端部５４が、絶縁ハウジング１１の矩形板状部１２における一端部に取り付けられた係合部材１８に係合し、その括れ部５６が、係合部材１８に設けられた係止部２９を構成する第１の係合係止部分２５及び第２の係合係止部分２８に夫々設けられて、比較的小なる間隔ａを有する状態におかれた、切欠部２４及び切欠部２７によって挟持される。その際、第１の係合係止部分２５及び第２の係合係止部分２８は、補強部材４６の端部５４によって押し分けられて、切欠部２４及び切欠部２７に一時的に第１の相互間距離ａより若干大なる相互間距離をとらせるべく弾性変位し、その後直ちに元の状態に戻る。その結果、補強部材４６の端部５４が、係合部材１８に設けられた係止部２９を構成する第１の係合係止部分２５及び第２の係合係止部分２８によって係止される係止状態をとるものとされる。
【００５０】
同様に、絶縁ハウジング１１の矩形板状部１２における他端部に設けられた透孔１７を貫通した補強部材４６の端部５５が、絶縁ハウジング１１の矩形板状部１２における他端部に取り付けられた係合部材１９に係合し、その括れ部５７が、係合部材１９に設けられた係止部４０を構成する第１の係合係止部分３６及び第２の係合係止部分３９に夫々設けられて、比較的小なる間隔ａを有する状態におかれた、切欠部３５及び切欠部３８によって挟持される。その際、第１の係合係止部分３６及び第２の係合係止部分３９は、補強部材４６の端部５５によって押し分けられて、切欠部３５及び切欠部３８に一時的に第１の相互間距離ａより若干大なる相互間距離をとらせるべく弾性変位し、その後直ちに元の状態に戻る。その結果、補強部材４６の端部５５が、係合部材１９に設けられた係止部４０を構成する第１の係合係止部分３６及び第２の係合係止部分３９によって係止される係止状態をとるものとされる。
【００５１】
このようにして、補強部材４６における一対の端部５４及び５５が、係合部材１８に設けられた係止部２９を構成する第１の係合係止部分２５及び第２の係合係止部分２８、及び、係合部材１９に設けられた係止部４０を構成する第１の係合係止部分３６及び第２の係合係止部分３９によって夫々係止されることにより、ＦＰＣ４６に装着された補強部材４６が係合部材１８及び１９によって係止され、それにより、コネクタ装置１０の絶縁ハウジング１１における矩形板状部１２上に配されたＦＰＣ４５の部分４８が位置固定され、コネクタ装置１０における複数の導電コンタクト１３の接点部１５が、ＦＰＣ４５の部分４８の面５１に設けられた複数の接触端子部４７に夫々当接して、当該複数の接触端子部４７に夫々接触接続された状態が、安定に維持される。
【００５２】
その後、補強部材４６が装着されたＦＰＣ４５がコネクタ装置１０から離脱せしめられる際には、補強部材４６における一対の端部５４及び５５が、係合部材１８に設けられた係止部２９を構成する第１の係合係止部分２５及び第２の係合係止部分２８、及び、係合部材１９に設けられた係止部４０を構成する第１の係合係止部分３６及び第２の係合係止部分３９によって夫々係止されたもとにおいて、係合部材１８に設けられた操作部２３に、それを図１８において矢印Ｐによって示される面１２ａに沿う方向に押圧して、面１２ａに沿う方向に弾性変位させる操作が加えられるとともに、係合部材１９に設けられた操作部３４に、それを面１２ａに沿う方向に押圧して、面１２ａに沿う方向に弾性変位させる押圧操作が加えられる。
【００５３】
操作部２３に、それを、図１８において矢印Ｐによって示される、面１２ａに沿う方向に弾性変位させる押圧操作が加えられた係合部材１８においては、図２１に示されるように、操作部２３の面１２ａに沿う方向における弾性変位に伴って、操作部２３から伸びる腕状部２６及び第２の係合係止部分２８が、図２１において矢印Ｐによって示される、面１２ａに沿う方向に変位せしめられる。それにより、第２の係合係止部分２８が第１の係合係止部分２５から面１２ａに沿う方向に離隔して、第１の係合係止部分２５及び第２の係合係止部分２８が第１の相互間距離をとる状態から第１の相互間距離より大なる第２の相互間距離をとる状態に移行せしめられ、図２１に示されるように、第１の係合係止部分２５及び第２の係合係止部分２８に夫々設けられた切欠部２４及び２７が、間隔ａより大なる間隔ａ' を有する状態におかれる。それにより、補強部材４６の端部５４に設けられた括れ部５６に対する第１の係合係止部分２５及び第２の係合係止部分２８に夫々設けられた切欠部２４及び切欠部２７による挟持が解除される。その結果、補強部材４６の端部５４が、係合部材１８に設けられた係止部２９を構成する第１の係合係止部分２５及び第２の係合係止部分２８による係止状態から解放される。
【００５４】
また、操作部３４に、それを面１２ａに沿う方向に弾性変位させる押圧操作が加えられた係合部材１９においては、操作部３４の面１２ａに沿う方向における弾性変位に伴って、操作部３４から伸びる腕状部３７及び第２の係合係止部分３９が、面１２ａに沿う方向に変位せしめられる。それにより、係合部材１８の場合と同様に、第２の係合係止部分３９が第１の係合係止部分３６から面１２ａに沿う方向に離隔して、第１の係合係止部分３６及び第２の係合係止部分３９が第１の相互間距離をとる状態から第１の相互間距離より大なる第２の相互間距離をとる状態に移行せしめられ、第１の係合係止部分３６及び第２の係合係止部分３９に夫々設けられた切欠部３５及び３８が、間隔ａより大なる間隔ａ' を有する状態におかれる。それにより、補強部材４６の端部５５に設けられた括れ部５７に対する第１の係合係止部分３６及び第２の係合係止部分３９に夫々設けられた切欠部３５及び切欠部３８による挟持が解除される。その結果、補強部材４６の端部５５が、係合部材１９に設けられた係止部４０を構成する第１の係合係止部分３６及び第２の係合係止部分３９による係止状態から解放される。
【００５５】
なお、係合部材１８において操作部２３の弾性変位に伴って面１２ａに沿う方向に変位せしめられる第２の係合係止部分２８は、係合部材１８に設けられた変位規制部３０に当接して変位規制部３０による変位規制を受ける。また、係合部材１９において操作部３４の弾性変位に伴って面１２ａに沿う方向に変位せしめられる第２の係合係止部分３９も、係合部材１９に設けられた変位規制部４１に当接して変位規制部４１による変位規制を受ける。また、面１２ａに沿う方向に弾性変位せしめられる押圧操作が加えられた操作部２３は、操作が加えられなくなると自らの弾性によって元に戻り、面１２ａに沿う方向に弾性変位せしめられる押圧操作が加えられた操作部３４も、操作が加えられなくなると自らの弾性によって元に戻る。
【００５６】
上述のようにして、補強部材４６の一対の端部５４及び端部５５が、夫々、係合部材１８に設けられた係止部２９を構成する第１の係合係止部分２５及び第２の係合係止部分２８、及び、係合部材１９に設けられた係止部４０を構成する第１の係合係止部分３６及び第２の係合係止部分３９による係止状態から解放されることにより、補強部材４６が装着されたＦＰＣ４５がコネクタ装置１０から離脱せしめられ得る状態におかれる。
【００５７】
上述のようなコネクタ装置１０とＦＰＣ４５に装着された補強部材４６とを備えて構成される本発明に係る配線板状部材接続装置の一例にあっては、コネクタ装置１０の絶縁ハウジング１１の矩形板状部１２における複数の導電コンタクト１３の接点部１５が突出する面１２ａに対面配置されるＦＰＣ４５に補強部材４６が装着されたもとで、補強部材４６の端部５４を係止する状態及び係止から解放する状態を選択的にとる係合部材１８における係止部２９が、面１２ａに沿う方向において相互対向するものとされて第１の相互間距離と第１の相互間距離より大なる第２の相互間距離とを選択的にとる第１の係合係止部分２５及び第２の係合係止部分２８を含んで構成されるとともに、補強部材４６の端部５５を係止する状態及び係止から解放する状態を選択的にとる係合部材１９における係止部４０が、面１２ａに沿う方向において相互対向するものとされて第１の相互間距離と第１の相互間距離より大なる第２の相互間距離とを選択的にとる第１の係合係止部分３６及び第２の係合係止部分３８を含んで構成される。さらに、係止部２９を構成する第１の係合係止部分２５及び第２の係合係止部分２８を第１の相互間距離をとる状態から第２の相互間距離をとる状態へと移行させるべく操作が加えられる係合部材１８における操作部２３、及び、係止部４０を構成する第１の係合係止部分３６及び第２の係合係止部分３９を第１の相互間距離をとる状態から第２の相互間距離をとる状態へと移行させるべく操作が加えられる係合部材１９における操作部３４の夫々が、面１２ａに沿う方向に弾性変位せしめられるものとされる。
【００５８】
それゆえ、コネクタ装置１０において、その絶縁ハウジング１１の矩形板状部１２における複数の導電コンタクト１３の配列方向の両端部の夫々に取り付けられた係合部材１８及び１９の夫々が、絶縁ハウジング１１における面１２ａに直交する方向の寸法を増大させず、従って、コネクタ装置１０についての低背化を妨げることなく、絶縁ハウジング１１における面１２ａに対面配置されたＦＰＣ４５に装着された補強部材４６に、係止部２９及び４０によって係止される係止状態と係止部２９及び４０による係止状態から解放される係止解除状態とを選択的にかつ容易にとらせることができる。
【００５９】
その結果、本発明に係る配線板状部材接続装置の一例は、その矩形板状部１２に複数の導電コンタクト１３が配列配置された絶縁ハウジング１１と、複数の接触端子部４７が設けられてそれらに複数の導電コンタクト１３を接触接続させるべく絶縁ハウジング１１の矩形板状部１２に配置されるＦＰＣ４５に装着された補強部材４６に対する係止及び係止解除を行う係合部材１８及び１９と、を備えた垂直嵌合型コネクタ装置とされるコネクタ装置１０を含んで構成されるものであって、コネクタ装置１０についての低背化が図られたもとにおいても、コネクタ装置１０における係合部材１８及び１９によるＦＰＣ４５に装着された補強部材４６に対する係止及び係止解除を容易に行うことができることになる。
【００６０】
また、コネクタ装置１０が有する係合部材１８における係止部２９が、第１の係合係止部分２５が固定部分を形成し、第２の係合係止部分２８が第１の係合係止部分２５に対して面１２ａに沿う方向における離隔及び近接が可能な可動部分を形成するものとされるとともに、コネクタ装置１０が有する係合部材１９における係止部４０が、第１の係合係止部分３６が固定部分を形成し、第２の係合係止部分３９が第１の係合係止部分３６に対して面１２ａに沿う方向における離隔及び近接が可能な可動部分を形成するものとされているので、ＦＰＣ４５に装着された補強部材４６に対する係止部２９及び４０による係止及び係止解除を、比較的簡単な構成をもって確実に行うことができる。
【００６１】
さらに、係合部材１８において、係止部２９が、第２の係合係止部分２８が操作部２３から面１２ａに沿う方向に伸びる腕状部２６を介して操作部２３に連結されて、操作部２３の変位に伴って面１２ａに沿う方向に変位するものとされるとともに、係合部材１９において、係止部４０が、第２の係合係止部分３９が操作部３４から面１２ａに沿う方向に伸びる腕状部３７を介して操作部３４に連結されて、操作部３４の変位に伴って面１２ａに沿う方向に変位するものとされるので、操作部２３及び３４の夫々を充分な弾力性を備えた変位ストロークを比較的大とするものとすることができ、それにより、ＦＰＣ４５に装着された補強部材４６に対する係止部２９及び４０による係止及び係止解除を極めて容易に行うことができる。
【産業上の利用可能性】
【００６２】
以上のような本発明に係る配線板状部材接続装置は、複数の導電コンタクトが配列配置された絶縁ハウジングと、複数の接触端子部が設けられてそれらに複数の導電コンタクトを接触接続させるべく絶縁ハウジングに配置される配線板状部材に装着された補強部材に対する係止及び係止解除を行う係合部材と、を備えた垂直嵌合型コネクタ装置とされるコネクタ装置を含んだ配線板状部材接続装置であって、コネクタ装置についての低背化が図られたもとにおいても、コネクタ装置における係合部材による配線板状部材に装着された補強部材に対する係止及び係止解除を容易に行うことができるものとして、様々な電子機器等に広く適用され得るものである。
【符号の説明】
【００６３】
１０・・・コネクタ装置，  １１・・・絶縁ハウジング，  １２・・・矩形板状部，  １２ａ・・・（矩形板状部１２の）面，  １３・・・導電コンタクト，  １５・・・接点部，  １６，１７，４９，５０・・・透孔，  １８，１９・・・係合部材，  ２０，３１・・・圧入部，  ２１，３２・・・固定部，  ２２，３３・・・基板接続部，  ２３，３４・・・操作部，  ２４，２７，３５，３８・・・切欠部，  ２５，３６・・・第１の係合係止部分，  ２６，３７・・・腕状部，  ２８，３９・・・第２の係合係止部分，  ２９，４０・・・係止部，  ３０，４１・・・変位規制部，  ４５・・・ＦＰＣ（フレキシブル印刷配線基板），  ４６・・・補強部材，  ４７・・・接触端子部，  ４８・・・（ＦＰＣ４５の）部分，  ５１，５２・・・（ＦＰＣ４５の）面，  ５３・・・（補強部材４６の）本体部，  ５４，５５・・・（補強部材４６の）端部，  ５６，５７・・・括れ部
【図１】
2015041478.tif 000003
【図２】
2015041478.tif 000004
【図３】
2015041478.tif 000005
【図４】
2015041478.tif 000006
【図５】
2015041478.tif 000007
【図６】
2015041478.tif 000008
【図７】
2015041478.tif 000009
【図８】
2015041478.tif 000010
【図９】
2015041478.tif 000011
【図１０】
2015041478.tif 000012
【図１１】
2015041478.tif 000013
【図１２】
2015041478.tif 000014
【図１３】
2015041478.tif 000015
【図１４】
2015041478.tif 000016
【図１５】
2015041478.tif 000017
【図１６】
2015041478.tif 000018
【図１７】
2015041478.tif 000019
【図１８】
2015041478.tif 000020
【図１９】
2015041478.tif 000021
【図２０】
2015041478.tif 000022
【図２１】
2015041478.tif 000023